(57)【要約】      （修正有）【課題】網戸の変形した網目を補修するための網目修復具を提供する。【解決手段】取っ手部材２０と、取っ手部材に取り付けられたローラー保持具３０と、ローラー保持具により回転自在に支持されると共に、外周に先端の尖った突起部４１を、隣接する網目に順次嵌り込む間隔で複数備えるローラー４０とからなる。突起部はローラーの外周に一列、又は複数列設けるのが好ましい。【選択図】図１
0003201081.tif 000002
【実用新案登録請求の範囲】
【請求項１】
取っ手部材（２０）と、
取っ手部材（２０）に取り付けられたローラー保持具（３０）と、
ローラー保持具（３０）により回転自在に支持されると共に、その外周に先端の尖った突起部（４１）を、隣接する網目に順次嵌り込む間隔で複数備えるローラー（４０）と、
により成る網目修復具。
【請求項２】
突起部（４１）がローラー（４０）の外周に一列設けられた請求項１に記載の網目修復具。
【請求項３】
突起部（４１）がローラー（４０）の外周に複数列設けられた請求項１に記載の網目修復具。
【考案の詳細な説明】
【技術分野】
【０００１】
本考案は網戸の網目が変形した際の修復具に関する。
【背景技術】
【０００２】
例えば猫を飼っている家庭では、猫が網戸に爪を立てたり、よじ登ったりすることで網目が変形することがよくある。変形した網目を元通りに修復する方法としては、先の尖ったもの、例えばペン先などを差込み、網目の形を整えることがよく行われている。
【０００３】
先行技術としては、破れた部分を補修するための補修シートなどは散見されるが（例えば特許文献１）、変形した網目を修復するための用具は見当たらない。
【先行技術文献】
【特許文献】
【０００４】
【特許文献１】特開２０００−２２６９７３号公報
【考案の概要】
【考案が解決しようとする課題】
【０００５】
本考案は上記の如く変形した網目を補修するための新規な用具を提供することにある。
【課題を解決するための手段】
【０００６】
上記の目的を達成する本考案の構成は次の通りである。
【０００７】
（１）  請求項１に記載の考案は、取っ手部材と、取っ手部材に取り付けられたローラー保持具と、ローラー保持具により回転自在に支持されると共に、その外周に先端の尖った突起部を、隣接する網目に順次嵌り込む間隔で複数備えるローラーとにより構成した。
【０００８】
（２）  請求項２に記載の考案は、請求項１に記載の網目修復具において、突起部をローラーの外周に一列設けて構成した。
【０００９】
（３）  請求項３に記載の考案は、請求項１に記載の網目修復具において、突起部をローラーの外周に複数列設けて構成した。
【考案の効果】
【００１０】
上記のように構成される本考案が、如何に作用して課題を解決するかを図面を参照しながら概説する。
【００１１】
本考案者は、前記した目的を達成するために鋭意検討を重ねてきた。その結果、網戸の網目にその先端が嵌りこむ突起部を有するローラーを、回転自在にローラー保持具に取り付け、当該ローラー保持具を取っ手部材に取り付けた修復具が、効率的に変形した網目を修復するとの知見を得た。
【００１２】
すなわち、取っ手部材２０を握った状態で、図７に示すように変形した網目５１ａを有する網戸５０の表面に、突起部４１を軽く接触させながら移動させると、ローラー４０が移動に伴って回転し、突起部４１が順次網目５１に嵌り込んでいく。しかも、図８に示すように突起部４１は隣接する網目５１に嵌り込む間隔で設けてあることから、隣接した網目５１には、ほぼ同時に突起部４１が嵌り込むことになり、突起部４１により網目５１ａの変形が修復されることになるのである。
【図面の簡単な説明】
【００１３】
【図１】本考案の正面図
【図２】同、右側面図
【図３】同、左側面図
【図４】同、底面図
【図５】Ａ−Ａ線断面図
【図６】請求項２記載の考案の斜視図
【図７】使用状態を示す説明図
【図８】使用状態を示す説明図
【考案を実施するための形態】
【００１４】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１５】
本考案にかかる網目修復具は１０は、図１乃至図６に示すように取っ手部材２０と、取っ手部材２０に取り付けられたローラー保持具３０と、ローラー保持具３０により回転自在に支持されると共に、その外周に先端の尖った突起部４１を、隣接する網目に嵌り込む間隔で複数備えるローラー４０とを主な構成要素とする。
【００１６】
取っ手部材２０は棒体或いは板体である。
【００１７】
ローラー保持具３０は、ローラー４０を回転自在に支持することが可能であれば、任意の形状が可能である。例えばローラー４０が図１に示すように円筒形であれば、コ字状の形態に形成すればよいし、図６に示すようにローラー４０が円盤状であれば、二枚の薄板で形成すればよい。
【００１８】
図５に示すように、ローラー保持具３０は回転軸３１で、ローラー４０を回転自在に支持するものである。すなわち、図３に示すように回転軸３１は、コ字状のローラ保持具３０の両端辺にわたり、ネジ３２で固定されている。この回転軸３１がローラー４０内の空洞部４２に緩挿されているものである。
【００１９】
一方、図６においては二枚の板状のローラー保持具３０にわたり図示されない回転軸が介在させてあり、円盤状のローラー４０の図示されない孔部に緩挿されて、ローラー４０を回転自在に支持するものである。
【００２０】
請求項２に記載の考案では、図６に示すように、複数の突起部４１を円盤状のローラー４０の外周に一列設けて構成してある。
【００２１】
請求項３に記載の考案では、図１乃至図３に示すように、複数の突起部４１を円筒状のローラー４０の外周に複数列設けて構成してある。
【００２２】
突起部４１の形状は円錐状、円錐台状、四角錐状、四角錐台状、円筒形状等を取りうる。また、突起部４１は網戸の隣接する網目に順次嵌り込む間隔でローラー４０の外周に設けてある。突起部４１の具体的な寸法は、正四角錐状或いは円錐状を前提にすると、以下のようにすると網目に突起部が精度高く嵌り込むことになる。
【００２３】
網目が18メッシュの網戸(網目の幅は1.41mm)
1つの突起は底辺の一辺が1.4mm、高さ約1.2mmの正四角錐か、直径1.4mm、高さ約1.2mmの円錐。
【００２４】
網目が20メッシュの網戸(網目の幅は1.27mm)
1つの突起は底辺の一辺が1.2mm、高さ約1.0mmの正四角錐か、直径1.2mm、高さ約1.0mmの円錐。
【００２５】
網目が24メッシュの網戸(網目の幅は1.06mm)
1つの突起は底辺の一辺が1.0mm、高さ約0.8mmの正四角錐か、直径1.0mm、高さ約0.8mmの円錐。
【００２６】
網目が30メッシュの網戸(網目の幅は0.85mm)
1つの突起は底辺の一辺が0.8mm、高さ約0.7mmの正四角錐か、直径0.8mm、高さ約0.7mmの円錐。
【００２７】
網目が40メッシュの網戸(網目の幅は0.64mm)
1つの突起は底辺の一辺が0.6mm、高さ約0.5mmの正四角錐か、直径0.6mm、高さ約0.5mmの円錐。
【００２８】
なお、一般的な網戸の網目は１８メッシュ或いは２０メッシュであることが多く、かかっるメッシュに対応した突起部を形成しておき、その他のメッシュの網目には押し付ける力加減で網目の修復を図ることも可能である。
【符号の説明】
【００２９】
１０・・網目修復具
２０・・取っ手部材
３０・・ローラー保持具
４０・・ローラー      ４１・・突起部
【図１】
0003201081.tif 000003
【図２】
0003201081.tif 000004
【図３】
0003201081.tif 000005
【図４】
0003201081.tif 000006
【図５】
0003201081.tif 000007
【図６】
0003201081.tif 000008
【図７】
0003201081.tif 000009
【図８】
0003201081.tif 000010